(57)【要約】  本開示は、ディスプレイコンポーネントに関する。ディスプレイコンポーネントは、表示モジュールと、表示モジュールの光出射側の視角スイッチモジュールとを備えてもよい。表示モジュールは、ベース基板上に複数の列の発光画素を備えてもよい。発光画素の各々は、第１電極層、ナノ粒子層、及び透明な第２電極層を順に前記ベース基板上に備えてもよい。ナノ粒子層は、第１金属のナノ粒子を備えてもよい。第１金属のナノ粒子の各々は、第１電極層から離れた側に突起部を備えてもよい。透明な第２電極層は、第２金属のナノ粒子を備えてもよい。
2020531875.tif 000002
【特許請求の範囲】
【請求項１】
表示モジュールと、
前記表示モジュールの光出射側の視角スイッチモジュールとを備え、
前記表示モジュールは、ベース基板に複数の列の発光画素を備え、前記発光画素の各々は、第１電極層、ナノ粒子層、及び第２電極層を備え、前記ナノ粒子層は、第１金属のナノ粒子を備え、前記第１金属のナノ粒子の各々は、前記第１電極層から離れた側に突起部を備え、前記第２電極層は、第２金属のナノ粒子を備える
ことを特徴とするディスプレイコンポーネント。
【請求項２】
請求項１に記載のディスプレイコンポーネントにおいて、
前記第１金属は金である
ことを特徴とするディスプレイコンポーネント。
【請求項３】
請求項１あるいは２に記載のディスプレイコンポーネントにおいて、
前記第２金属は銀である
ことを特徴とするディスプレイコンポーネント。
【請求項４】
請求項１〜３のいずれか１項に記載のディスプレイコンポーネントにおいて、
前記第１金属のナノ粒子の突起部は、円錐形または円錐台形である
ことを特徴とするディスプレイコンポーネント。
【請求項５】
請求項１に記載のディスプレイコンポーネントにおいて、
前記発光画素の隣接する２列ごとにより画素ユニットを構成し、前記表示モジュールは隣接する画素ユニットの間にブラックマトリクスをさらに備える
ことを特徴とするディスプレイコンポーネント。
【請求項６】
請求項１に記載のディスプレイコンポーネントにおいて、
前記発光画素の各列はＮ行を有し、ただし、Ｎは１以上の整数である
ことを特徴とするディスプレイコンポーネント。
【請求項７】
請求項６に記載のディスプレイコンポーネントにおいて、
Ｎは５以下の整数である
ことを特徴とするディスプレイコンポーネント。
【請求項８】
請求項１に記載のディスプレイコンポーネントにおいて、
前記視角スイッチモジュールは、複数の視角制御ユニットを備え、前記複数の視角制御ユニットのそれぞれは、列方向に延びる２つの視角制御部を備え、
各前記視角制御部は、前記発光画素の列に対応している
ことを特徴とするディスプレイコンポーネント。
【請求項９】
請求項８に記載のディスプレイコンポーネントにおいて、
各前記視角制御部は、前記表示モジュールを覆う絶縁層と、第３電極層と、第４電極層と、前記第３電極層と前記第４電極層との間の遮断部とを備え、
隣接する前記遮断部の間に収容室が形成され、前記収容室に黒色の無極性液体が収容される
ことを特徴とするディスプレイコンポーネント。
【請求項１０】
請求項９に記載のディスプレイコンポーネントにおいて、
前記収容室は、前記発光画素の１つの列に対応している
ことを特徴とするディスプレイコンポーネント。
【請求項１１】
請求項９あるいは１０に記載のディスプレイコンポーネントにおいて、
前記黒色の無極性液体は、前記第３電極層と前記第４電極層との間に電界が存在する状態で前記収容室を覆うとともに、前記第３電極層と前記第４電極層との間に電界が存在しない状態で、前記収容室と前記ブラックマトリクスとが重なる領域に集まるように形成される
ことを特徴とするディスプレイコンポーネント。
【請求項１２】
請求項１に記載のディスプレイコンポーネントにおいて、
前記ナノ粒子層は、前記第１金属の隣接するナノ粒子を分離する隔壁をさらに備え、前記隔壁は絶縁材料を有する
ことを特徴とするディスプレイコンポーネント。
【請求項１３】
請求項１２に記載のディスプレイコンポーネントにおいて、
前記絶縁材料は二酸化シリコンである
ことを特徴とするディスプレイコンポーネント。
【請求項１４】
請求項１〜１３のいずれか１項に記載のディスプレイコンポーネントにおいて、
各前記発光画素の前記第１電極層は互いに接続されて一体構造を形成するか、または各前記発光画素の前記第２電極層は互いに接続されて一体構造を形成する
ことを特徴とするディスプレイコンポーネント。
【請求項１５】
請求項９に記載のディスプレイコンポーネントにおいて、
前記複数の視角制御部のそれぞれの前記第３電極層は、互いに接続されて一体構造を形成するか、または各前記視角制御部の前記第４電極層が互いに接続されて一体構造を形成する
ことを特徴とするディスプレイコンポーネント。
【請求項１６】
請求項８に記載のディスプレイコンポーネントにおいて、
各前記視角制御部は、第１表示モードにおいて対応する列の発光画素からの光を透過させ、第２表示モードにおいて対応する列の前記発光画素からの、前記第１金属のナノ粒子の突起部のピークから同じ画素ユニットにおける他列の前記発光画素から離れた側への光を遮断するように構成される
ことを特徴とするディスプレイコンポーネント。
【請求項１７】
請求項１〜１６のいずれか１項に記載のディスプレイコンポーネントを備える
ことを特徴とする表示装置。
【発明の詳細な説明】
【技術分野】
【０００１】
この出願は、２０１７年８月２４日に出願された中国特許出願第２０１７１０７３８９２６．４号の優先権を主張し、その内容が参照により本明細書に組み込まれる。
【０００２】
本発明は、表示技術に関し、特に、ディスプレイコンポーネントおよび表示装置に関する。
【背景技術】
【０００３】
デュアルビュー表示モードは、異なる角度で異なる画像を表示することを指す。すなわち、ユーザは、異なる角度から表示画面上の異なる画像を見ることができる。デュアルビュー表示モードは、従来の表示モードに比べて、表示画面の利用率を増加させ、同時に２種類の情報を表示画面に表示させる。現在、特に自動車や広告スクリーンのような用途において、デュアルビュー表示モードに大きな関心が集まっている。
【発明の概要】
【０００４】
したがって、本開示の一例は、ディスプレイコンポーネントである。ディスプレイコンポーネントは、表示モジュールと、表示モジュールの光出射側の視角スイッチモジュールとを備えてもよい。表示モジュールは、ベース基板に複数の列の発光画素を備えてもよい。発光画素の各々は、第１電極層、ナノ粒子層、及び第２電極層を備えてもよい。ナノ粒子層は、第１金属のナノ粒子を備えてもよい。第１金属のナノ粒子の各々は、第１電極層から離れた側に突起部を備えてもよい。第２電極層は、第２金属のナノ粒子を備えてもよい。第１金属は金であってもよい。第２金属は銀であってもよい。第１金属のナノ粒子の突起部は、円錐形または円錐台形であってもよい。
【０００５】
前記発光画素の隣接する２列ごとにより画素ユニットを構成し、表示モジュールは隣接する画素ユニットの間にブラックマトリクスをさらに備えてもよい。発光画素の各列はＮ行を有してもよく、Ｎは１以上の整数である。一つの実施形態では、Ｎは５以下の整数である。
【０００６】
視角スイッチモジュールは、複数の視角制御ユニットを備えてもよい。複数の視角制御ユニットのそれぞれは、列方向に延びる２つの視角制御部を備えてもよい。各視角制御部は、発光画素の列に対応していてもよい。
【０００７】
各視角制御部は、表示モジュールを覆う絶縁層と、第３電極層と、第４電極層と、第３電極層と第４電極層との間の遮断部とを備えていてもよい。隣接する遮断部の間に収容室が形成され、収容室に黒色の無極性液体が収容されてもよい。収容室は、発光画素の１つの列に対応してもよい。黒色の無極性液体は、第３電極層と第４電極層との間に電界が存在する状態で収容室を覆うとともに、第３電極層と第４電極層との間に電界が存在しない状態で収容室とブラックマトリクスとが重なる領域に集まるように形成されてもよい。
【０００８】
ナノ粒子層は、第１金属の隣接するナノ粒子を分離する隔壁をさらに備え、この隔壁は絶縁材料を有してもよい。絶縁材料は二酸化シリコンであってもよい。各発光画素の第１電極層は互いに接続されて一体構造を形成してもよいし、各発光画素の第２電極層は互いに接続されて一体構造を形成してもよい。複数の視角制御部のそれぞれの第３電極層は、互いに接続されて一体構造を形成してもよいし、各視角制御部の第４電極層が互いに接続されて一体構造を形成してもよい。
【０００９】
各視角制御部は、第１表示モードにおいて対応する列の発光画素からの光を透過させ、第２表示モードにおいて対応する列の発光画素からの、第１金属のナノ粒子の突起部のピークから同じ画素ユニットにおける他列の発光画素から離れた側への光を遮断するように構成されてもよい。
【００１０】
本開示の他の例は、表示装置である。この表示装置は、本開示の一実施形態によるディスプレイコンポーネントを備えてもよい。
【図面の簡単な説明】
【００１１】
本発明の主題は、本明細書の請求項において特に指摘され明確に請求される。本開示の前述および他の目的、特徴、および利点は、添付の図面と併せて以下の詳細な説明から明らかである。
【００１２】
【図１】本開示の一実施形態によるディスプレイコンポーネントの概略断面図である。
【００１３】
【図２】本開示の一実施形態によるディスプレイコンポーネントの構造の概略上面図である。
【００１４】
【図３】本開示の一実施形態によるディスプレイコンポーネントの概略断面図である。
【００１５】
【図４】本開示の一実施形態によるディスプレイコンポーネントの構造の概略上面図である。
【００１６】
【図５】本開示の一実施形態に係るディスプレイコンポーネントの部分拡大図である。
【００１７】
【図６】本開示の一実施形態によるディスプレイコンポーネントの概略断面図である。
【００１８】
【図７】本開示の一実施形態によるディスプレイコンポーネントの概略上面図である。
【００１９】
【図８】本開示の一実施形態による第１表示モードにおけるディスプレイコンポーネントの概略図である。
【００２０】
【図９】本開示の一実施形態による第２表示モードにおけるディスプレイコンポーネントの概略図である。
【発明を実施するための形態】
【００２１】
本開示は、当業者により本開示の技術案がよりよく理解されるために、添付の図面および実施形態を参照してさらに詳細に記載される。本開示の説明は、図１〜図９を参照する。図面を参照すると、同様の構造および要素は同様の参照番号で示されている。記載された実施形態は、本発明の実施形態の一部のみであり、すべてではない。創作努力なしに本開示の実施形態に基づいて当業者によって得られる他のすべての実施形態は、本発明の保護範囲内に入るものとする。図面におけるディスプレイコンポーネントの形状とサイズは、本当のスケールを反映しておらず、本発明を説明するためのものである。
【００２２】
本明細書において、「第１」、「第２」、「第３」、および「第４」という用語を接頭語として追加することができる。ただし、これらの接頭語は用語を区別するために追加され、順序や相対的なメリットなどの特定の意味を持たない。
【００２３】
「金属ナノ材料」は、３次元空間に少なくとも１次元でナノメートルスケール範囲（１〜１００ｎｍ）の寸法を有する構造で構成される材料、またはナノ構造を基本単位として構成された材料である。金属ナノ材料のナノ寸法の特徴は、それらを微視的原子および従来のバルク金属および結晶材料とは異なるものにする。金属ナノ材料は、表面効果、小型効果、量子サイズ効果および巨視的量子トンネリング効果により、特別な物理的および化学的特性を有する。
【００２４】
光の波長よりもはるかに小さい金属ナノ粒子に入射光を照射すると、入射した光子の周波数が金属ナノ粒子の表面における電子の発振周波数に等しいか同等であれば、電子と入射光子は金属ナノ粒子の局所表面領域で強く共鳴する。この現象は、局所表面プラズモン共鳴効果（ＬＳＰＲ：ＬＯＣＡＬ ＳＵＲＦＡＣＥＰＬＡＳＭＯＮ ＲＥＳＯＮＡＮＣＥ ＥＦＦＥＣＴ）と呼ばれる。金属ナノ粒子の表面にＬＳＰＲが発生すると、金属ナノ粒子は、発振周波数が電子と同じか同等である入射光子のエネルギーを強く吸収するか、または発振周波数が電子と同じかまたは同等である電磁波を放射する。すなわち、これらの特性は、それぞれ、ＬＳＰＲ吸収またはＬＳＰＲ散乱と呼ばれる。
【００２５】
しかしながら、金属ナノ粒子のＬＳＰＲ特性は、それらの元素組成と密接に関連している。本開示の一実施形態によるディスプレイコンポーネントは、金属ナノ粒子のＬＳＰＲ特性を調整するために、電着および/または電気浸食により金属ナノ粒子の元素組成を正確に構成することにより、金属ナノ粒子による可視光の吸収および散乱を連続的に調整する。このようにして、偏光や、カラーフィルムを有さないカラーディスプレイを実現することができる。
【００２６】
本願の図１〜図５に示すように、本開示の一例は、ディスプレイコンポーネントである。該ディスプレイコンポーネントは、表示モジュール１０と、表示モジュール１０の光の存在する側に設けられる視角スイッチングモジュール２０とを含む。
【００２７】
図１は、本開示の一実施形態によるディスプレイコンポーネントの概略的な断面図である。図２は、本開示の一実施形態によるディスプレイコンポーネントの構造の概略上面図である。
【００２８】
一実施形態では、図１に示すように、表示モジュール１０は、ベース基板１１と、ベース基板１１にマトリクス状に配置された複数の発光画素１２とを備える。発光画素１２は、ベース基板１１に順次に配置された第１電極層０１、ナノ粒子層０２及び透明な第２電極層０３を備える。ナノ粒子層０２は、第１金属のナノ粒子０２１を含む。第１金属のナノ粒子０２１は、第１電極層０１から離れた側に突起状に配置される。第２電極層０３は、第２金属のイオンを含む。一実施形態では、第２電極層０３は、第２金属のナノ粒子を含む。
【００２９】
図１および図２に示すように、画素群Ｓが発光画素１２の隣接する２列ごとにより構成されている。視角スイッチモジュール２０は、複数の視角制御ユニットＣを備える。視角制御ユニットが画素群Ｓの各列に一対一に対応して配置された。一実施形態では、視角制御ユニットＣは、列方向に配列された２つの視角制御部２１を備える。視角制御部２１は、発光画素１２の１列に対応しており、図１および図２に示すように、視角制御部２１は、第１表示モードで、対応する列の発光画素からの光を透過させるように構成されている。
【００３０】
図３は、本開示の一実施形態によるディスプレイコンポーネントの概略断面図である。図４は、本開示の一実施形態によるディスプレイコンポーネントの構造の概略上面図である。図５は、本発明の一実施形態によるディスプレイコンポーネントの部分拡大図である。
【００３１】
図３〜図５に示すように、視角制御部２１は、第２表示モードで、対応する列の発光画素からの、第１金属のナノ粒子０２１の突起部のピークから同じ画素群Ｓにおける他列の発光画素から離れた側への光を遮断するように構成されている。例えば、図５に示すように、左側の視角制御部２１は、左側の発光画素１２からの、突起部のピークＯから左側への光を遮断する。右側の視角制御部２１は、右側の発光画素１２からの、突起部のピークＯから右側への光を遮断する。
【００３２】
本開示の一実施形態による表示装置では、表示モジュールの第１金属のナノ粒子は、第１電極層から離れた側に突起部を有するため、異なる角度から光を放射することができる。視角スイッチモジュールの視角制御部の遮断状態を調整することにより、デュアルビュー表示モードおよび従来の表示モードの両方を実現することができる。さらに、第１金属のナノ粒子はナノスケールであるので、それらの粒子サイズは非常に小さいため、超高解像度ディスプレイを達成することができる。
【００３３】
特定のセオリーに限定されないが、本開示の一実施形態によるディスプレイコンポーネントについて、表示モジュールの表示原理は、以下のように考えられる：第１電極層、ナノ粒子層、および第２電極層の間に電気が印加されると、第２金属のイオンが第２金属に還元され、第２金属が第１金属のナノ粒子の表面に堆積して複合金属ナノ粒子が形成される。別の実施形態では、第１金属のナノ粒子の表面上の第２金属を第２金属のイオンに酸化することにより、第２金属のイオンが第２電極層に形成される。すなわち、複合金属ナノ粒子の元素組成を電着（第２金属の還元）と電気浸食（第２金属の酸化）によって制御して複合金属ナノ粒子のＬＳＰＲ特性を調節して、複合金属ナノ粒子の可視光に対する吸収と散乱を連続的に調節することにより、応答が速く、偏光がなく、カラーフィルムがないカラーディスプレイを実現する。
【００３４】
また、本発明の一実施形態によるディスプレイコンポーネントでは、静止画を表示する場合、液晶ディスプレイコンポーネントのように常に液晶を反転する必要がないため、消費電力が比較的小さい。
【００３５】
本開示の一実施形態によるディスプレイコンポーネントでは、第１表示モードは、従来の表示モードを指す。すなわち、人がディスプレイコンポーネントのいずれかの側にいるかどうかにかかわらず、同じ表示画像を見ることができる。第２表示モードは、デュアルビュー表示モード、すなわち、ディスプレイコンポーネントの左側にいる人と、ディスプレイコンポーネントの右側にいる人とは、異なる表示画像を見ることができるモードである。
【００３６】
本開示の一実施形態によるディスプレイコンポーネントでは、図１および図３に示すように、ナノ粒子層０２は、第１金属のナノ粒子０２１と、第１金属の隣接するナノ粒子０２１を分離するための隔壁０２２とを含む。隔壁０２２は、絶縁の材料によって形成されてもよく、これによれば、第一金属のナノ粒子０２１の間の独立を確保し、安定した性質を保つとともに、第１金属と第２金属との間で効率的に電気化学反応を起こすことができる。
【００３７】
一実施形態では、隔壁は、フィルム層に通過孔を形成することによって形成され、第１金属のナノ粒子が各通過孔に配置されることができる。一実施形態では、隔壁は二酸化シリコンからなる。勿論、隔壁は他の絶縁材料でも形成することができ、これに限定されるものではない。
【００３８】
図６は、本開示の一実施形態によるディスプレイコンポーネントの概略断面図である。図７は、本開示の一実施形態によるディスプレイコンポーネントの構造の概略上面図である。
【００３９】
一実施形態では、混色を防止するために、本開示の一実施形態によるディスプレイコンポーネントでは、図６および図７に示されるように、表示モジュール１０は、２列のＮ（Ｎは、１以上の整数である）行の画素１２を１つの画素ユニット１２０とし、さらに、隣接する画素ユニット１２０の間にブラックマトリクス１３をさらに含む。
【００４０】
図８は、本開示の一実施形態による第１表示モードにおけるディスプレイコンポーネントの概略図である。図９は、本開示の一実施形態による第２表示モードにおけるディスプレイコンポーネントの概略図である。
【００４１】
一実施形態において、混色を防止するために、本開示の一実施形態によるディスプレイコンポーネントでは、図８に示すように、第１表示モードにおいて、１つの画素ユニット１２０における発光画素１２は、赤色サブ画素、緑色サブ画素または青色サブ画素などのディスプレイコンポーネントの１つのサブ画素として機能する。図９に示すように、第２表示モードにおいて、１つの画素ユニット１２０における１列の発光画素１２は、赤色サブ画素、緑色サブ画素または青色サブ画素などの１つのサブ画素として機能する。デュアル視角の１つの視角から見ると、隣接するサブ画素はブラックマトリクス１３によって分離される。したがって、パネルサイズが固定の場合、ディスプレイコンポーネントの画素ユニット１２０の数が多いほど、ディスプレイコンポーネントの解像度が高くなる。また、ディスプレイコンポーネントの解像度を向上させるために、画素ユニット１２０に含まれる発光画素の数が少ないほど、ディスプレイコンポーネントの解像度が高くなる。
【００４２】
一実施形態では、本開示の一実施形態によるディスプレイコンポーネントにおいて、Ｎは５以下である。
【００４３】
本開示の一実施形態によるディスプレイコンポーネントでは、第１金属は金であり、第２金属は銀である。金属ナノ粒子のＬＳＰＲ特性はその元素組成に密接に関連しているので、本開示の一実施形態では、金−銀複合金属ナノ粒子が発光材料として使用される。複合金属ナノ粒子中の金の含有量が徐々に増加すると、その吸光スペクトルは徐々に長波長側に移動し、発光素子に利用されることができる。
【００４４】
一実施形態では、本開示の一実施形態によるディスプレイコンポーネントにおいて、第１金属と第２金属との間の効率的な電気化学反応を促進するために、第２電極層は、第２金属のイオンを含むゲル電極である。また、第２金属が銀である場合には、発光素子の発光性能を向上させることができる。
【００４５】
一実施形態では、本開示の一実施形態によるディスプレイコンポーネントにおいて、図１、図３、および図６に示すように、第２電極層０３がマトリクス状に配置される。第１電極層０１のすべては一体構造として接続されており、すなわち、第１電極層０１は全層構造を有している。このように、第１電極層のパターニング工程を省略し、第１電極層に信号を供給するための配線を減らすことができるので、コストを低減することができる。
【００４６】
本開示の一実施形態によるディスプレイコンポーネントにおいて、第１電極層も、マトリクス状に配置されてもよい。第２電極層のすべては、一体構造として接続されており、すなわち、第２電極層は、全層構造を有している。このように、第２電極層のパターニング工程を省略し、第２電極層に信号を供給するための配線を減らすことができるので、コストを低減することができる。
【００４７】
一実施形態では、第１電極層もマトリクス状に配置され、第２電極層はマトリクス状に配置されてもよく、これに限定されない。
【００４８】
本開示の一態様によるディスプレイコンポーネントでは、図１、図３、図６に示すように、第１金属のナノ粒子０２１の第１電極層０１から離れた側にある突起部０１は円錐形であり、円錐形の先細のピーク部分は第２電極層０３に向けられる。これは、発光画素の両側で一様な発光に寄与する。第１金属のナノ粒子の突起部は、円錐台のような他の形状であってもよい。
【００４９】
本開示の一実施形態によるディスプレイコンポーネントでは、図１、図３及び図６に示すように、視角制御部２１は、表示モジュール０１を覆う絶縁層２１１と、絶縁層２１１に順次配置された第３電極層２１２および第４電極層２１３と、第３電極層２１２と第４電極層２１３との間に配置された遮断部２１４とを備える。隣接する遮断部２１4の間には収容室が形成され、収容室には黒色無極性液体２１５が収容されている。
【００５０】
一実施形態では、電界が第３電極層２１２と第４電極層２１３との間に印加されると、黒色無極性液体２１５が収容室を覆う。視角制御部２１は、対応する列の発光画素１２からの、第１金属のナノ粒子０２１の突起部のピークから同じ画素群Ｓにおける他列の発光画素１２から離れた側への光を、拡散した黒色無極性液体２１５によって遮断することにより、第２表示モードを実現する。
【００５１】
別の実施形態では、第３電極層２１２と第４電極層２１３との間に電界がない場合、黒色無極性液体２１５は、収容室とブラックマトリクスとが重なる領域に集まる。このように、視角制御部２１は、対応する列の発光画素１２からの光を透過させることにより第１表示モードを実現する。
【００５２】
本開示の一実施形態によるディスプレイコンポーネントにおいて、遮断部２１４は、透明な絶縁材料である。
【００５３】
本発明の一実施形態によるディスプレイコンポーネントにおいて、遮断部間の収容室が発光画素に相当する。このように、収容室内の黒色無極性液体の動作を制御することが容易であり、視角制御部の制御精度を向上させることができる。
【００５４】
本開示の一実施形態によるディスプレイコンポーネントでは、図１、図３、図６に示すように、第３電極層２１２のすべては一体構造として接続されている。すなわち、第３電極層２１２は、全層構造を有する。これにより、第３電極層２１２のパターニング工程を省略し、第３電極層２１２に信号を供給するための配線を減らすことができるので、コストを低減することができる。
【００５５】
本開示の一実施形態によるディスプレイコンポーネントでは、図１、図３、図６に示すように、第４電極層２１３のすべては一体構造として接続されている。すなわち、第４電極層２１３は、全層構造を有する。これにより、第４電極層２１３のパターニング工程を省略すし、第４電極層２１３に信号を供給するための配線を減らすことができるので、コストを低減することができる。
【００５６】
本開示の一実施形態によるディスプレイコンポーネントにおいて、第３電極層２１２および第４電極層２１３は、断続的な電極構造であってもよく、特に限定されない。
【００５７】
本開示の一実施形態によるディスプレイコンポーネントでは、図１、図３及び図６に示すように、視角スイッチモジュール２０および表示モジュール１０を保護するように、視角スイッチモジュール２０の表示モジュール１０から離れた側にパッケージ保護層２２が設けられる。
【００５８】
本開示の別の例は、本願の一実施形態によるディスプレイコンポーネントを含む表示装置である。表示装置は、携帯電話、タブレット、テレビ、モニタ、ノートブック、デジタルフォトフレーム、ナビゲータ、または表示機能を有する任意の製品またはコンポーネントであってもよい。表示装置の実装については、ディスプレイコンポーネントの前述の実施形態を参照することができ、ここで詳細は再度説明しない。
【００５９】
特定のセオリーに限定されないが、本開示の実施形態によるディスプレイコンポーネントおよび表示装置において、第１電極層、ナノ粒子層、および第２電極層の間に電気が印加されると、第２金属のイオンが第２金属に還元され、第２金属が第１金属のナノ粒子の表面に堆積して複合金属ナノ粒子が形成される。別の実施形態では、第１金属のナノ粒子の表面上の第２金属を第２金属のイオンに酸化することにより、第２金属のイオンが第２電極層に形成される。すなわち、複合金属ナノ粒子の元素組成を電着（第２金属の還元）と電気浸食（第２金属の酸化）によって制御して複合金属ナノ粒子のＬＳＰＲ特性を調節して、複合金属ナノ粒子の可視光に対する吸収と散乱を連続的に調節することにより、応答が速く、偏光がなく、カラーフィルムがないカラーディスプレイを実現する。視角スイッチモジュールの視角制御部の遮断状態を調整することにより、デュアルビュー表示モードおよび従来の表示モードの両方を実現することができる。
【００６０】
本開示の様々な実施形態の説明は、例示のために提示されたものであり、網羅的な、または開示された実施形態に限定されるものではない。記載された実施形態の範囲および精神から逸脱することなく、多くの変更および変形が当業者には明らかであろう。本明細書で使用される用語は、実施形態の原理、市場で見出される技術に対する実用または技術的改良を解釈するか、または当業者が本明細書に開示される実施形態を理解できるようにするために選択して使用された。
【図１】
2020531875.tif 000003
【図２】
2020531875.tif 000004
【図３】
2020531875.tif 000005
【図４】
2020531875.tif 000006
【図５】
2020531875.tif 000007
【図６】
2020531875.tif 000008
【図７】
2020531875.tif 000009
【図８】
2020531875.tif 000010
【図９】
2020531875.tif 000011
【国際調査報告】
2020531875.tif 000012
2020531875.tif 000013